(57)【特許請求の範囲】
【請求項１】
番組を提供する放送局毎に付与されるメジャーチャンネル、及び放送局が提供する番組毎に付与されるサブチャンネルによりそれぞれ番組を受信し表示するディジタル放送用受信機において、
前記メジャーチャンネル及びサブチャンネルを登録する登録手段と、
番組を受信することが可能なメジャーチャンネル及びサブチャンネルを示すデータが記録された地域毎のテーブルを記憶する記憶手段と、
前記地域毎のテーブルにそれぞれ対応する地域識別コードを入力する入力手段とを備え、
前記地域毎のテーブルは、各行の左端がメジャーチャンネルによる受信の可／否を示す１ビットデータ、各行の左端以外がそのメジャーチャンネルに係る各サブチャンネルによる受信の可／否を示すｎビットデータで構成され、かつ、データ圧縮されて前記記憶手段に記憶されており、
前記登録手段は、前記入力手段から特定の地域識別コードが入力されると、入力された地域識別コードに対応するテーブルを前記記憶手段から読出し、読出したテーブルに記録されているデータを伸長して元の受信の可／否を示すデータに復元し、復元したメジャーチャンネル毎のデータを選局データメモリに登録することを特徴とするディジタル放送用受信機。
【発明の詳細な説明】
【０００１】
【発明の属する技術分野】
本発明は、番組を提供する放送局毎に付与されるメジャーチャンネル、及びメジャーチャンネルに係る放送局が提供する番組毎に付与されるサブチャンネルによりそれぞれ番組を受信し表示するディジタル放送用受信機に関するものである。
【０００２】
【従来の技術】
近年、地上波を利用した数十チャンネル（例えば、６０チャンネル）のディジタル多重放送が行われている。例えば、ＡＴＳＣ（Advanced Television System Committee）放送では、放送局毎に付与されるメジャーチャンネル及びそのメジャーチャンネルの中で、多重放送される番組に割り当てられるサブチャンネルが用意され、ユーザはこれら多数のチャンネルにより放送される番組から好みの番組を選択して視聴することが出来る。
【０００３】
番組が放送されているメジャーチャンネル及びサブチャンネルは地域（受信エリア）によって異なる為、ユーザはディジタル放送用受信機をその地域で初めて使用するようなときには、メジャーチャンネル及びサブチャンネルが存在し得る周波数帯についてスキャンを行わせて、放送されているか否かを判定させ、放送されているチャンネルについては、番組を受信することが可能となるように登録させる必要がある。
【０００４】
【発明が解決しようとする課題】
上述したメジャーチャンネルについては、従来同様、放送時間帯は深夜及び早朝を除き連続しているが、サブチャンネルについては、放送時間帯が連続しておらず、深夜及び早朝でなくても時刻によっては、番組が放送されていないことがある。その為、ディジタル放送用受信機が上述したスキャンを行っても、そのときに放送されていないサブチャンネルがあれば、その地域で番組を受信することが可能であるにも関わらず、受信することが可能となるように登録されることがないという問題がある。
また、ＡＴＳＣ放送ではチャンネル数が非常に多い為、上述したスキャンを行うには時間が掛かるという問題がある。
【０００５】
チャンネル設定に関する技術としては、所定数設けられたポジションに対応するチャンネルデータが地域毎に記憶された地域別チャンネルデータメモリと、地域を示すコードを入力する地域コード入力手段と、地域コード入力手段からのコードが示す地域におけるチャンネルデータを地域別チャンネルデータメモリから読出させ、選局用チャンネルデータメモリに記憶させる制御回路とを備えた受信チャンネルオートプリセット装置が、特開平５−２５９８１９号公報に開示されている。
本発明は、上述したような事情に鑑みてなされたものであり、番組を受信することが可能となるように、メジャーチャンネル及びサブチャンネルを短時間で確実に登録し設定することが出来るディジタル放送用受信機を提供することを目的とする。
【０００６】
本発明に係るディジタル放送用受信機は、番組を提供する放送局毎に付与されるメジャーチャンネル、及び放送局が提供する番組毎に付与されるサブチャンネルによりそれぞれ番組を受信し表示するディジタル放送用受信機において、前記メジャーチャンネル及びサブチャンネルを登録する登録手段と、番組を受信することが可能なメジャーチャンネル及びサブチャンネルを示すデータが記録された地域毎のテーブルを記憶する記憶手段と、前記地域毎のテーブルにそれぞれ対応する地域識別コードを入力する入力手段とを備え、前記地域毎のテーブルは、各行の左端がメジャーチャンネルによる受信の可／否を示す１ビットデータ、各行の左端以外がそのメジャーチャンネルに係る各サブチャンネルによる受信の可／否を示すｎビットデータで構成され、かつ、データ圧縮されて前記記憶手段に記憶されており、前記登録手段は、前記入力手段から特定の地域識別コードが入力されると、入力された地域識別コードに対応するテーブルを前記記憶手段から読出し、読出したテーブルに記録されているデータを伸長して元の受信の可／否を示すデータに復元し、復元したメジャーチャンネル毎のデータを選局データメモリに登録することを特徴とする。
【０００７】
このディジタル放送用受信機では、番組を提供する放送局毎に付与されるメジャーチャンネル、及び放送局が提供する番組毎に付与されるサブチャンネルによりそれぞれ番組を受信し表示する。記憶手段が、番組を受信することが可能なメジャーチャンネル及びサブチャンネルを示すデータが記録された地域毎のテーブルを記憶し、入力手段が地域毎のテーブルにそれぞれ対応するコードを入力し、登録手段が、メジャーチャンネル及びサブチャンネルを登録する。登録手段は、入力手段が入力したコードに対応するテーブルを記憶手段から読出し、読出したテーブルに記録されたデータに基づき、番組を受信することが可能なメジャーチャンネル及びサブチャンネルを登録することで、登録したメジャーチャンネル及びサブチャンネルにより番組を受信することが可能とする。
【０００８】
これにより、番組を受信することが可能となるように、メジャーチャンネル及びサブチャンネルを短時間で確実に登録し設定することが出来るディジタル放送用受信機を実現することが出来る。
【０００９】
また、本発明に係るディジタル放送用受信機では、地域毎のテーブルは、各行の左端がメジャーチャンネルによる受信の可／否を示す１ビットデータ、各行の左端以外がそのメジャーチャンネルに係る各サブチャンネルによる受信の可／否を示すｎビットデータで構成され、かつ、データ圧縮されて記憶手段に記憶されている。登録手段は、入力手段から特定の地域識別コードが入力されると、入力された地域識別コードに対応するテーブルを前記記憶手段（チャンネルデータメモリ１３）から読出し、読出したテーブルに記録されているデータを伸長して元の受信の可／否を示すデータに復元し、復元したメジャーチャンネル毎のデータを選局データメモリに登録するように構成してある。
【００１０】
このディジタル放送用受信機では、テーブルに記録されたデータは圧縮されており、読出したテーブルに記録されたデータを伸長し、伸長したデータに基づき、番組を受信することが可能なメジャーチャンネル及びサブチャンネルを登録する。これにより、番組を受信することが可能となるように、メジャーチャンネル及びサブチャンネルを短時間で確実に登録し設定することが出来ると共に、データが圧縮されている為、入力するデータが少なくて良く、地域毎のテーブルを記憶しておくメモリの容量を小さく出来るディジタル放送用受信機を実現することが出来る。
【００１１】
【発明の実施の形態】
以下に、本発明をその実施の形態を示す図面に基づいて説明する。
図１は、本発明に係るディジタル放送用受信機の実施の形態の構成を示すブロック図である。このディジタル放送用受信機Ｄは、操作部４（入力手段）により電源のオン／オフ、チャンネルの選局等各種操作が行われ、それらの操作に応じた信号がＭＰＵ１へ出力される。放送局から送信された地上波はアンテナ部Ａで受信され、操作部４の選局操作によりチューナ部２は受信するメジャーチャンネルを選択する。受信するメジャーチャンネルの地上波は再生部５によりディジタル信号に再生され、復調部６により元のディジタル信号に復調される。
【００１２】
地上波はＴＳ（Transport Stream）パケットにより送信される。パケットには、メジャーチャンネル及びそのメジャーチャンネルに係るサブチャンネルにより送信される映像データ、音声データ、チャンネルデータ及び番組に使用される言語（英語、スペイン語等）等のデータが含まれており、これらの各データの内、操作部４で選局されたメジャーチャンネル又はサブチャンネルにより送信された各データは、ＴＳデマルチプレクサ７により分離して出力され、メモリ７ａに一旦記憶される。
メモリ７ａに記憶された音声データは、Ｄ／Ａ変換部８によりアナログ化された後、スピーカ等の音声出力部９へ出力される。
【００１３】
一方、メモリ７ａに記憶された映像データは、ＭＰＥＧ（Motion Picture Experts Group）２デコード部１０により圧縮前の映像データに復号化された後、ＮＴＳＣエンコード部１１によりＮＴＳＣ複合テレビジョン信号に複合されて映像信号出力部１２へ与えられる。映像信号出力部１２は与えられたＮＴＳＣ複合テレビジョン信号を図示しない受像部へ出力する。
【００１４】
操作部４の選局操作により選局可能なメジャーチャンネル及びサブチャンネルは、選局データメモリ３（登録する手段）に登録されている。選局データメモリ３に設定されるべき地域（受信エリア）毎の受信可能なメジャーチャンネル及びサブチャンネルを示すデータを有する各テーブルが、ランレングス符号化又はハフマン符号化等により圧縮され、チャンネルデータメモリ１３（記憶手段）に記憶されている。
伸長された各テーブルは、例えば図３に示すようなイメージのテーブル１５であり、各行の左端がメジャーチャンネルによる受信の可／否（１／０）を示し、各行の左端以外がそのメジャーチャンネルに係る各サブチャンネルによる受信の可／否（１／０）を示している。但し、メジャーチャンネルによる受信が否（０）であれば、それに係る各サブチャンネルによる受信は符号（１／０）に関係なく不可である。
【００１５】
各テーブルは、図３に示すような例えば４桁の地域識別コード１４（コード）に対応させて記録されている。上述した操作部４、ＭＰＵ１（請求項の登録手段）、チューナ部２、再生部５、復調部６、ＴＳデマルチプレクサ７、メモリ７ａ、Ｄ／Ａ変換部８、ＭＰＥＧ２デコード部１０、ＮＴＳＣエンコード部１１、選局データメモリ３及びチャンネルデータメモリ１３は、バス１６により相互に接続されている。
【００１６】
図２は、このような構成のディジタル放送用受信機Ｄの選局可能なメジャーチャンネル及びサブチャンネルを登録する動作を示すフローチャートである。
ディジタル放送用受信機ＤのＭＰＵ１は、図３に示すような地域識別コード１４が操作部４により入力されると（Ｓ２）、入力された地域識別コード１４に対応する図３に示すようなテーブル１５から、メジャーチャンネル毎（各行毎）にデータを読出す（Ｓ４）。
【００１７】
ＭＰＵ１は、読出した（Ｓ４）メジャーチャンネル毎の圧縮されたデータを伸長して、元の受信の可／否を示すデータに復元し（Ｓ６）、復元したメジャーチャンネル毎のデータを選局データメモリ３に登録する（Ｓ８）。
次に、ＭＰＵ１は、テーブル１５に、登録した（Ｓ８）メジャーチャンネル毎のデータの次に別のメジャーチャンネル毎のデータが有るか否かを判定して、テーブル１５内の全てのメジャーチャンネル毎のデータについて処理が終了しているか否かを判定し（Ｓ１０）、別のメジャーチャンネル毎のデータが有れば、そのメジャーチャンネル毎のデータを読出し（Ｓ４）、伸長する（Ｓ６）。
ＭＰＵ１は、テーブル１５に別のメジャーチャンネル毎のデータが無ければ（Ｓ１０）、テーブル１５内の全てのメジャーチャンネル毎のデータについて処理が終了していると判定してリターンする。
【００１９】
本発明に係るディジタル放送用受信機によれば、番組を受信することが可能となるように、メジャーチャンネル及びサブチャンネルを短時間で確実に登録し設定することが出来ると共に、データが圧縮されている為、入力するデータが少なくて良く、地域毎のテーブルを記憶しておくメモリの容量を小さく出来るディジタル放送用受信機を実現することが出来る。
【図面の簡単な説明】
【図１】本発明に係るディジタル放送用受信機の実施の形態の構成を示すブロック図である。
【図２】本発明に係るディジタル放送用受信機の動作を示すフローチャートである。
【図３】テーブル及び地域識別コードを説明する為の説明図である。
【符号の説明】
１  ＭＰＵ
２  チューナ部
３  選局データメモリ（登録する手段）
４  操作部
７  ＴＳデマルチプレクサ
７ａ  メモリ
１３  チャンネルデータメモリ（記憶手段）
１４  地域識別コード（コード）
１５  テーブル
Ｄ  ディジタル放送用受信機
【図１】
0004635317.tif 000002
【図２】
0004635317.tif 000003
【図３】
0004635317.tif 000004